(57)【要約】      （修正有）【課題】新しい遊び方が可能なブロック玩具システムを提供する。【解決手段】直方体でなる本体部と、天面から突出する円柱突起と、底面が開口する開口部と、前記開口部に挿入される前記円柱突起を保持可能な構成を有する保持機構とを有するブロック玩具１０Ａ〜１０Ｏを使用するブロック玩具システムであって、前記ブロック玩具１０Ａ〜１０Ｏを所定の配置で組み立てることにより所定の３次元形象を構成し、前記ブロック玩具１０Ａ〜１０Ｏを所定の直方体形状に組立てることにより、予め前記ブロック玩具１０Ａ〜１０Ｏに印刷された図形を組み合わせ、前記直方体形状の一面に一つの２次元図形１２１を形成することができるようにした。【選択図】図４
2019122536.tif 000002
【特許請求の範囲】
【請求項１】
直方体でなる本体部と、天面から突出する円柱突起と、底面が開口する開口部と、前記開口部に挿入される前記円柱突起を保持可能な構成を有する保持機構とを有するブロック玩具を使用するブロック玩具システムであって、
前記ブロック玩具を所定の配置で組み立てることにより所定の３次元形象を構成し、
前記ブロック玩具を所定の直方体形状に組立てることにより、予め前記ブロック玩具に印刷された図形を組み合わせ、前記直方体形状の一面に一つの２次元図形を形成することができる
ことを特徴とするブロック玩具システム。
【請求項２】
前記ブロック玩具を前記直方体形状に組み立てたときにおける前記円柱突起の突出する方向をＸ方向、該Ｘ方向と直交し前記直方体形状の一方向を構成する方向をＹ方向、前記Ｘ方向と直交し前記直方体形状の他方向を構成する方向をＺ方向とするとき、
前記Ｙ方向において少なくとも２種類以上の長さのブロック玩具が使用され、前記直方体形状に組み立てられたときに該ブロック玩具が有する前記Ｘ方向に平行な角のうち前記直方体形状の稜線を構成しない内端部が前記Ｘ方向に平行な一直線にならないように配置されている
ことを特徴とする請求項１に記載のブロック玩具システム。
【請求項３】
前記直方体形状は、
Ｚ方向において前記円柱突起が２個以下となる扁平な板形状であり、
前記２次元図形が板形状の２つのＸＹ平面のうち１面のみに形成されている
ことを特徴とする請求項１又は２に記載のブロック玩具システム。
【請求項４】
前記ブロック玩具において、前記２次元図形の一部が１面にのみ印刷されている
ことを特徴とする請求項３に記載のブロック玩具システム。
【請求項５】
前記２次元図形と前記３次元形象とは、同一の対象物を表している
ことを特徴とする請求項１〜４のいずれかに記載のブロック玩具システム。
【請求項６】
前記直方体形状は、
Ｚ方向において前記円柱突起が３個以上であり、
前記２次元図形がＸＹ平面及びＹＺ平面のうち２面以上に形成されている
ことを特徴とする請求項１又は２に記載のブロック玩具システム。
【請求項７】
Ｚ方向において少なくとも２種類以上のサイズのブロック玩具が使用され、前記直方体形状に組み立てられたときに、前記直方体形状の稜線を構成しない内端部が前記Ｘ方向に平行な一直線にならないように配置されている
ことを特徴とする請求項６に記載のブロック玩具システム。
【請求項８】
直方体でなる本体部と、天面から突出する円柱突起と、底面が開口する開口部と、前記開口部に挿入される前記円柱突起を保持可能な構成を有する保持機構とを有するブロック玩具を使用するブロック玩具システムの製造方法であって、
所定の配置で組み立てることにより所定の３次元形象を構成する組み合わせでなる前記ブロック玩具システムにおける前記ブロック玩具を直方体形状に組立てる組立ステップと、
前記ブロック玩具が組み立てられてなる前記直方体形状の少なくとも一面に対して所定の２次元図形を印刷する印刷ステップと
を有することを特徴とするブロック玩具システムの製造方法。
【発明の詳細な説明】
【技術分野】
【０００１】
本発明は、複数のブロック玩具を用いたブロック玩具システムに適用して好適なものである。
【背景技術】
【０００２】
従来、４つの側面と、円柱状の円柱突起を有する天井面と、開口する底面を有するブロック玩具が広く知られている（例えば、特許文献１参照）。このブロック玩具では、円柱突起の数が異なるブロックを適宜組み合わせ、ブロックを組み上げていくことにより、種々の形象を形作ることが可能となっている。
【先行技術文献】
【特許文献】
【０００３】
【特許文献１】特開２０１０−１７２５６８号公報
【発明の概要】
【発明が解決しようとする課題】
【０００４】
かかる構成のブロック玩具では、３次元的な形象を製作するのが一般的な遊び方であった。
【０００５】
本発明は以上の点を考慮してなされたもので、新しい遊び方が可能なブロック玩具システムを提供するものである。
【課題を解決するための手段】
【０００６】
かかる課題を解決するため、ブロック玩具システムでは、直方体でなる本体部と、天面から突出する円柱突起と、底面が開口する開口部と、前記開口部に挿入される前記円柱突起を保持可能な構成を有する保持機構とを有するブロック玩具を使用するブロック玩具システムであって、
前記ブロック玩具を所定の配置で組み立てることにより所定の３次元形象を構成し、
前記ブロック玩具を所定の直方体形状に組立てることにより、予め前記ブロック玩具に印刷された図形を組み合わせ、前記直方体形状の一面に一つの２次元図形を形成することができることを特徴とする。
【０００７】
また本発明のブロック玩具システムの製造方法では、直方体でなる本体部と、天面から突出する円柱突起と、底面が開口する開口部と、前記開口部に挿入される前記円柱突起を保持可能な構成を有する保持機構とを有するブロック玩具を使用するブロック玩具システムの製造方法であって、
所定の配置で組み立てることにより所定の３次元形象を構成する組み合わせでなる前記ブロック玩具システムにおける前記ブロック玩具を直方体形状に組立てる組立ステップと、
前記ブロック玩具が組み立てられてなる前記直方体形状の少なくとも一面に対して所定の２次元図形を印刷する印刷ステップとを有することを特徴とする。
【発明の効果】
【０００８】
本発明によれば、ブロック玩具システムでは、新しい遊び方を提供できるブロック玩具システム及びブロック玩具システムの製造方法を実現できる。
【図面の簡単な説明】
【０００９】
【図１】ブロック玩具の構成を示す略線図である。
【図２】第１の実施の形態における３次元形象を示す略線図である。
【図３】第１の実施の形態における直方体形状（１）を示す略線図である。
【図４】第１の実施の形態における直方体形状（２）を示す略線図である。
【図５】第２の実施の形態における３次元形象を示す略線図である。
【図６】第２の実施の形態における直方体形状（１）を示す略線図である。
【図７】第２の実施の形態における直方体形状（２）を示す略線図である。
【発明を実施するための形態】
【００１０】
＜第１の実施の形態＞
ブロック玩具は、様々な大きさの単位ブロックから構成されている。図１（Ａ）に示す８単位ブロック１０Ｘを用いて、一般的なブロック玩具１０の構成を説明する。
【００１１】
８単位ブロック１０Ｘは、全体として直方体形状であり、本体である直方体形状の基台部２２と、該基台部２２から突出する８つの円柱突起２３とを有している。基台部２２は、４つの側壁２４と、天面２５との５面からなり、天面２５と対向する底面部分は開口している。なお以下、円柱突起２３が突出する方向を上下方向、上下方向に直交する方向を縦横方向として説明する。
【００１２】
８単位ブロックは、円柱突起２３を１つだけ有する１単位ブロック（基台部２２のサイズが例えば約８ｍｍ×８ｍｍ×６ｍｍや４ｍｍ×４ｍｍ×３ｍｍ）を８つ連結したのとほぼ同一サイズである。他にも、図１（Ｂ）に示すように円柱突起２３を縦横方向に各２つ（２列×２）有する４単位ブロック１０Ｙ、縦方向に４つ、図１（Ｃ）に示すように（１列×４）だけ有する４単位ブロック１０Ｚ、円柱突起２３を１列×２つだけ有する２単位ブロック（図示しない）、１列×１６、２列×８、４列×４などのように円柱突起２３を１６個有する１６単位ブロックなど、１単位ブロックを整数個連結したサイズでなる種々の単位ブロックが存在する。
【００１３】
ブロック玩具において底面部分は開口しており、他のブロック玩具（以下、これを他ブロックと呼ぶ）が挿入されたときに他ブロックの円柱突起２３を保持する保持機構が形成されている。例えば、１列の円柱突起しか有さないブロック玩具１０では、基台部２２の長手方向における壁厚との関係により、開口部の幅が円柱突起２３とほぼ同一に形成されることにより、他ブロックの円柱突起を保持することができる。
【００１４】
また、円柱突起２３を２列以上有するブロック玩具では、保持機構として列間に天面２５の裏側から延びる板状の保持羽根（図示しない）が設けられている。この保持羽根と側壁との間隔を円柱突起２３の直径とほぼ同一に設定することにより、他ブロックの円柱突起２３を保持することができる。円柱突起２３当該底面から他ブロックの円柱突起２３が挿入されると、他ブロックの円柱突起２３は、側壁２４とこの保持羽根によって保持される。保持羽根は、例えば１枚羽根又は２枚の板状部材による２枚羽根として構成され、円柱突起２３の数に応じた長さや数、形状が適宜選択される。
【００１５】
保持羽根は、必須ではなく、単位ブロックの単位数と並び方などによって適宜設けられている。さらに、保持機構としては、開口部に保持羽根（図示しない）の代わりに円筒部材を設け、円筒と側壁２４とにより他ブロックの円柱突起２３を保持することも可能である。
【００１６】
このように、ブロック玩具１０では、円柱突起２３を他ブロックの開口部に挿入し上下方向に延設するようにしてブロック玩具１０を所定の配置で組み立てることにより、所定のオブジェクトを表す３次元形象１００Ｘ（図２参照）を構成することができる。
【００１７】
さらに、本願発明では、ブロック玩具１０を所定の直方体形状１００Ｙ（図３，４参照）に組立てることにより、予めブロック玩具１０に印刷されたオブジェクトの図形を組み合わせ、直方体形状の一面に一つの２次元図形１２１を形成することができるようになされている。このオブジェクトは、３次元形象１００Ｘと同一のものが使用される。
【００１８】
図２に示すように、ブロック玩具システム１００では、消防車を表す３次元形象１００Ｘを組み立てることができる１６個のブロック玩具１０（ブロック玩具１０Ａ〜１０Ｐ）から構成されている。
【００１９】
ブロック玩具システム１００では、タイヤ部分を表現する２つの黒い８単位ブロック（２×４）１０Ａ，１０Ｂと、車体部分を表現する９つの８単位ブロック（２×４）１０Ｃ〜１０Ｋと、はしご部分を表現する白い１６単位ブロック（２×８）１０Ｎ及び４単位ブロック（２×２）１０Ｌと、はしごの頭頂部を表現する赤い４単位ブロック（２×２）１０Ｍと、はしご台を表現する黄色い８単位ブロック（２×４）１０Ｏと、窓を表する青色の８単位ブロック（２×４）１０Ｐとを有しており、全体として消防車を表現している。
【００２０】
図３に示すように、このブロック玩具システム１００は、２×８の円柱突起を８列だけ上下に組み合わせることにより、扁平な板状の直方体形状１００Ｙを構成することができる。円柱突起の延びる上下方向をＸ方向、Ｘ方向と直交する方向のうち、平面方向をＹ方向、厚さ方向をＺ方向とする。なお図３では、直方体形状１００ＹにおけるＸＹ平面１００Ｙａを正面に示している。
【００２１】
このとき、直方体形状１００ＹのＹ方向の長さと同一長さを有する白い１６単位ブロック（２×８）１０Ｎの存在により、ブロック玩具１０のＸ方向に平行な端部（縦稜線）のうち、Ｙ方向において端部を構成しない（Ｘ方向に平行な稜線を構成しない）内端部１３がＹ方向において同位置（Ｙ方向に垂直な一直線）とならず、直方体形状１００Ｙを一つの塊として保持させることが可能となる。
【００２２】
図４に示すように、直方体形状１００Ｙにおける他のＸＹ平面１００Ｙｂには、消防車を表す２次元図形１２１が印刷されている。すなわちユーザは、ブロック玩具システム１００を２次元図形１２１に合わせて直方体形状１００Ｙに組み立てることにより、まるでジグソーパズルをするかのようにしてブロック玩具システム１００を組み立てて楽しむことができる。
【００２３】
このブロック玩具システム１００は、直方体形状１００Ｙに組み立てられた状態でインクジェット法やシルクスクリーン法などの各種印刷方式によって２次元図形１２１が印刷されることにより製造される。このときの直方体形状１００Ｙのブロック玩具１０の組立方に制限はなく、同じ位置に同じサイズ及び色のブロックが配置されるようにしても良く、種々の組み合わせで配置されるようにしても良い。
【００２４】
このように、ブロック玩具システム１００では、消防車の３次元形象１００Ｘを組み立てたり、消防車の２次元図形１２１を作製するようにして直方体形状１００Ｙを組み立てたりと何度も同じブロック玩具で遊べるだけでなく、同一のオブジェクトを表す３次元形象１００Ｘと２次元図形１２１が印刷された直方体形状１００Ｙとを組み立てることにより、２次元の図形と３次元の形象とを結びつけさせることができ、子供の知的教育に役立てることができる。
【００２５】
＜第２の実施の形態＞
次に、図５〜図７を用いて、第２の実施の形態について説明する。第２の実施の形態では、３次元形象２００Ｘと２次元図形２２１の対象となるオブジェクトが「消防車」ではなく「キリン」であること、使用されるブロック玩具の組み合わせ及び数が相違する点が上述した第１の実施の形態と相違している。なお、第１の実施の形態と対応する箇所に１００を加算した番号を附し、同一箇所についての説明を省略する。
【００２６】
図５に示すように、ブロック玩具システム２００では、キリンを表す３次元形象２００Ｘを組み立てることができる１８個のブロック玩具２１０（ブロック玩具２１０Ａ〜２１０Ｒ）から構成されている。
【００２７】
ブロック玩具システム１００では、お尻部分を表現する１つの焦げ茶色の８単位ブロック（２×４）２１０Ａと、茶色い５つの４単位ブロック（２×２）２１０Ｂ〜Ｆ及び２つの８単位ブロック（２×４）２１０Ｇ〜Ｈと、７つの黄色い８単位ブロック（２×４）２１０Ｉ〜Ｏ及び３つの４単位ブロック（２×２）２１０Ｐ〜Ｒとを有しており、全体としてキリンを表現している。
【００２８】
図６に示すように、このブロック玩具システム１００は、２×８の円柱突起を８列だけ上下に組み合わせることにより、扁平な板状の直方体形状２００Ｙを構成することができる。
【００２９】
このとき、直方体形状２００ＹのＹ方向の長さを２つの８単位ブロック（２×４）とＹ方向の中心部分に配置した８単位ブロック（２×４）及び両脇に配置した２つの４単位ブロック（２×２）との組み合わせにより、内端部２１３がＹ方向の同一位置からずれて形成されておりＸ方向に平行な一直線とならず、直方体形状２００Ｙを一つの塊として保持させることが可能となる。図７に示すように、直方体形状２００Ｙにおける他のＸＹ平面２００Ｙｂには、キリンの２次元図形１２１が印刷されており、パズルを組み立てるようにして遊ぶことができる。
【００３０】
＜動作及び効果＞
以下、上記した実施形態から抽出される発明群の特徴について、必要に応じて課題及び効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【００３１】
本発明のブロック玩具システム（ブロック玩具システム１００，２００）では、直方体でなる本体部（基台部２２）と、天面（天面２５）から突出する円柱突起（円柱突起２３）と、底面が開口する開口部と、前記開口部に挿入される前記円柱突起を保持可能な構成を有する保持機構とを有するブロック玩具（ブロック玩具１０）を使用するブロック玩具システムであって、
前記ブロック玩具を所定の配置で組み立てることにより所定の３次元形象（３次元形象１００Ｘ，２００Ｘ）を構成し、
前記ブロック玩具を所定の直方体形状（直方体形状１００Ｙ，２００Ｙ）に組立てることにより、予め前記ブロック玩具に印刷された図形を組み合わせ、前記直方体形状の一面に一つの２次元図形（２次元図形１２１，２２１）を形成することができることを特徴とする。
【００３２】
これにより、３次元形象を作製する通常のブロック玩具としてに遊びに加えて、２次元図形を形成するというパズル的な遊びを行うことができ、ブロック玩具の新たな遊び方を提供することができる。
【００３３】
ブロック玩具システムでは、前記ブロック玩具を前記直方体形状に組み立てたときにおける円柱突起の突出する方向をＸ方向、該Ｘ方向と直交し直方体形状の一方向を構成する方向をＹ方向、前記Ｘ方向と直交し前記直方体形状の他方向を構成する方向をＺ方向とするとき、
前記Ｙ方向において少なくとも２種類以上の長さのブロック玩具が使用され、前記直方体形状に組み立てられたときに該ブロック玩具が有する前記Ｘ方向に平行な角のうち、前記直方体形状の稜線を構成しない内端部（内端部１３）が前記Ｘ方向に平行な一直線にならないように配置されていることを特徴とする。
【００３４】
これにより、ブロック玩具システムでは、一方向（Ｘ方向）にのみ接合可能なブロック玩具をＹ方向にも固定させて直方体形状を形成することができる。
【００３５】
ブロック玩具システムにおいて、前記直方体形状は、
Ｚ方向において前記円柱突起が２個以下となる扁平な板形状であり、
前記２次元図形が板形状の２つのＸＹ平面のうち１面のみに形成されていることを特徴とする。
【００３６】
これにより、ブロック玩具システムでは、２次元図形を一面にだけ形成し、直方体形状を平面状態にして平面的なジグソーパズルとして２次元図形を組立させることができる。
【００３７】
前記ブロック玩具において、前記２次元図形の一部が１面にのみ印刷されている
ことを特徴とする請求項３に記載のブロック玩具システム。
【００３８】
これにより、３次元形象の組立時において２次元図形の一部が印刷された一面側を表出させる事がないよう目立たない側に配置することで、印刷された２次元図形の一部が３次元形象の彩りの邪魔をしてしまうことを極力防止することができる。
【００３９】
前記２次元図形と前記３次元形象とは、同一の対象物を表していることにより、２次元図形と３次元形象とを連想させることができ、子供の知的教育に役立てることができる。
【００４０】
また、ブロック玩具システムにおける全てのブロック玩具に対して２次元図形が印刷されるようにしたことにより、ブロック玩具システムでないブロック玩具と混合した場合であっても、どのブロック玩具がブロック玩具システムに含まれるかを容易に推測することが可能である。
【００４１】
また、本発明のブロック玩具システムの製造方法では、直方体でなる本体部と、天面から突出する円柱突起と、底面が開口する開口部と、前記開口部に挿入される前記円柱突起を保持可能な構成を有する保持機構とを有するブロック玩具を使用するブロック玩具システムの製造方法であって、
所定の配置で組み立てることにより所定の３次元形象を構成する組み合わせでなる前記ブロック玩具システムにおける前記ブロック玩具を直方体形状に組立てる組立ステップと、
前記ブロック玩具が組み立てられてなる前記直方体形状の少なくとも一面に対して所定の２次元図形を印刷する印刷ステップとを有することを特徴とする。
【００４２】
これにより、直方体形状に組み立てられた状態で印刷をすれば良いため、固定具などが不要となり、簡易な工程でブロック玩具システムを製造できると共に、ブロック玩具ごとに印刷する方法と比較してブロック間のずれもなくせるため、良質なブロック玩具システムを提供することができる。
【００４３】
＜他の実施の形態＞
上述実施形態においては、前記直方体形状のＺ方向において前記円柱突起が２個としたが、本発明はこれに限らず、例えば円柱突起が１個であったり、３個以上であってもよい。Ｚ方向の円柱突起が３個以上の場合、前記２次元図形がＸＹ平面だけでなくＹＺ平面に、すなわち２面以上に形成されていても良い。これにより、２次元図形を用いてブロック玩具を立体的なパズルとして使用することができる。
【００４４】
上述実施形態においては、Ｚ方向において１つのブロック玩具のみが配置されるようにしたが、本発明はこれに限らず、Ｚ方向において少なくとも２種類以上のサイズのブロック玩具が使用されても良い。この場合、前記直方体形状に組み立てられたときに、前記直方体形状の稜線を構成しない内端部がＺ方向において同位置にならない（Ｘ方向に平行な一直線にならない）ように配置されることにより、Ｙ方向だけでなくＺ方向にも一体となるような直方体形状を形成することができる。
【００４５】
上述実施形態においては、３次元形象と２次元図形が同じオブジェクトを模したようにしたが、本発明はこれに限らず、必ずしも同一である必要は無い。例えば、何らかの関連性を持たせることにより連想ゲーム的に遊ばせたりすることも可能である。もちろん、関連性のないオブジェクトを使用することも可能である。
【産業上の利用可能性】
【００４６】
本発明は、組み立て可能な各種玩具用ブロックに利用することができる。
【符号の説明】
【００４７】
１０，２１０        ：ブロック玩具
１３，２１３      ：内端部
２１        ：８単位ブロック
２２        ：基台部
２３        ：円柱突起
２４        ：側壁
２５        ：天面
１００      ：ブロック玩具システム
１００Ｘ，２００Ｘ    ：３次元形象
１００Ｙ，２００Ｙ    ：直方体形状
１００Ｙａ，１００Ｙｂ，２００Ｙａ，２００Ｙｂ  ：ＸＹ平面
１２１，２２１      ：２次元図形
２００      ：ブロック玩具システム
【図１】
2019122536.tif 000003
【図２】
2019122536.tif 000004
【図３】
2019122536.tif 000005
【図４】
2019122536.tif 000006
【図５】
2019122536.tif 000007
【図６】
2019122536.tif 000008
【図７】
2019122536.tif 000009